(57)【要約】      （修正有）【課題】固定用ビス穴のピッチが相違する複数種の照明具を、同じ固定部に取り付けることができる照明取付ブラケットを提供する。【解決手段】Ｕ字型の照明取付ブラケット５の水平部に、照明取付ブラケット５を固定手段（ビス）によって固定装置にビス止めする為のビス穴（固定装置側取付用ビス穴）を設ける。ビス穴のピッチは固定装置に形成される照明具取付用ビス穴のピッチに対応している。また、Ｕ字型の水平部、及び両垂直部に、照明取付ブラケット５をビスによって照明具にビス止めする為の長穴１２、１３、１４（照明具側取付用ビス長穴）を設ける。照明具に形成されている照明具取付用ビス穴の複数種類のピッチに対応できるように、水平部の長穴１２は垂直方向に長く形成し、垂直部の長穴１３、１４は水平方向に長く形成する。これにより、水平方向のビス穴間隔がＡ±Ｃ［ｍｍ］、垂直方向のビス穴間隔がＢ±Ｄ／２［ｍｍ］の範囲の照明具に対応することができる。【選択図】図４
0003133319.tif 000002
【実用新案登録請求の範囲】
【請求項１】
照明具を固定装置に取り付けるために用いられる照明具取付ブラケットであって、
前記固定装置に形成された照明具取付用ビス穴のピッチ及び径の寸法に対応して形成されている固定装置側取付用ビス穴と、
前記照明具に形成された照明具取付用ビス穴のピッチ及び径の寸法に対応して形成されている照明具側取付用ビス長穴を設けたことを特徴とする照明具取付ブラケット。
【請求項２】
リング型照明具、ドーム型照明具を含む照明具に使用される照明具取付ブラケットであって、
Ｕ字型薄板形状を有し、
前記照明具側取付用ビス長穴は、前記照明具に形成されている照明具取付用ビス穴の複数種類のピッチ及び径の寸法に対応できるように形成されている長穴であり、
該長穴を、前記Ｕ字型の両垂直部と水平部とにそれぞれ設け、前記垂直部には、水平方向に穴の長手部分が配置されるように形成し、前記水平部には、垂直方向に穴の長手部分が配置されるように形成したことを特徴とする請求項１に記載の照明具取付ブラケット。
【請求項３】
バー型照明具を含む照明具に使用される照明具取付ブラケットであって、
薄板をＵ字型に折り曲げた形状を有し、
前記照明具側取付用ビス長穴は、円弧状に形成され、
該長穴を、前記Ｕ字型の両垂直部に設けたことを特徴とする請求項１に記載の照明具取付ブラケット。
【考案の詳細な説明】
【技術分野】
【０００１】
本考案は、照明具を固定装置に取り付ける際に用いられるブラケットに関するものである。
【背景技術】
【０００２】
従来から、非照射体を照射するための照明具は、固定装置等に固定して使用されることが多かった。この場合、ビスを使用して照明具を固定装置にビス止めする方法が一般的である。そして、この方法により照明具を固定するためには、照明具に設けられている取付用のビス穴と固定装置に設けられている取付用のビス穴の両方のピッチに対応したビス穴を有する固定用の部品を用意しなければならなかった。
【０００３】
例えば、下記に示す特許文献１には、手術用顕微鏡２０の下端に患者の角膜表面に対向して取り付けられた、患者の角膜表面に同心円パターンを投影するプラチドリング照明器１と、手術用顕微鏡２０に組み込まれた、角膜表面からの同心円パターン反射像の画像を取り込むＣＣＤカメラ２と、手術用顕微鏡２０の外部に配置され、ＣＣＤカメラ２とケーブル１１で接続されたパーソナルコンピュータからなる画像解析装置３を有する角膜形状解析装置の発明が記載されている。プラチドリング照明器１は、手術用顕微鏡下端に配置された対物レンズ２１の下部外周に固定して取り付けられた固定部材４と、固定部材４に、固定部材４の下面に対し垂直軸５のまわりに回動可能に取り付けられた照明器本体６からなっている。
【０００４】
【特許文献１】特開平８−６６３６９号公報
【考案の開示】
【考案が解決しようとする課題】
【０００５】
しかしながら、照明具には様々な種類のものがあり、その種類の違い（メーカ−の違い、機種の違い、大きさの違い等）によって照明具のビス穴のピッチも相違していることが多かった。従って、ユーザーは種類の相違する照明具を使用する場合、ビス穴の相違する照明具毎に、さらには固定装置の取付用ビス穴のピッチが相違している場合には固定装置毎にも固定用の部品を用意しなければならず、ユーザーにとっては不都合であった。
【０００６】
そこで、本考案はこのような事情に鑑みてなされたものであり、固定用ビス穴のピッチが相違する複数種の照明具を、同じ固定装置に取り付けることができる照明具取付ブラケットの提供を目的とする。
【課題を解決するための手段】
【０００７】
上記課題を解決するために、請求項１に係る照明具取付ブラケットの考案は、照明具を固定装置に取り付けるために用いられる照明具取付ブラケットであって、前記固定装置に形成された照明具取付用ビス穴のピッチ及び径の寸法に対応して形成されている固定装置側取付用ビス穴と、前記照明具に形成された照明具取付用ビス穴のピッチ及び径の寸法に対応して形成されている照明具側取付用ビス長穴を設けたことを特徴とするものである。照明具取付ブラケットと照明具とを固着するビスは、照明具側取付用ビス長穴の長手方向のいずれかの位置を通過して照明具取付用ビス穴に挿入される。長穴のいずれの位置を通過するかは、照明具に形成されている照明具取付用ビス穴のピッチによって相違する。
【０００８】
また、請求項２に係る照明具取付ブラケットの考案は、請求項１に記載の考案において、リング型照明具、ドーム型照明具を含む照明具に使用される照明具取付ブラケットであって、Ｕ字型薄板形状を有し、前記照明具側取付用ビス長穴は、前記照明具に形成されている照明具取付用ビス穴の複数種類のピッチ及び径の寸法に対応できるように形成されている長穴であり、該長穴を、前記Ｕ字型の両垂直部と水平部とにそれぞれ設け、前記垂直部には、水平方向に穴の長手部分が配置されるように形成し、前記水平部には、垂直方向に穴の長手部分が配置されるように形成したことを特徴とするものである。垂直部に形成された配置の長穴によって、ビス穴の水平方向のピッチが相違する複数種類の照明具に対応が可能となり、水平部に形成された配置の長穴によって、ビス穴の垂直方向のピッチが相違する複数種類の照明具に対応が可能となる。
【０００９】
また、請求項３に係る照明具取付ブラケットの考案は、請求項１に記載の考案において、バー型照明具を含む照明具に使用される照明具取付ブラケットであって、薄板をＵ字型に折り曲げた形状を有し、前記照明具側取付用ビス長穴は、円弧状に形成され、該長穴を、前記Ｕ字型の両垂直部に設けたことを特徴とするものである。
【考案の効果】
【００１０】
本考案に係る照明具取付ブラケットによれば、ビス穴のピッチ等が相違する照明具を購入した場合でも、ユーザーは、照明具毎に異なる固定用部品を用意する必要はなく、固定装置に形成されたビス穴、及び照明具に形成されたビス穴のピッチ等に対応している照明具取付ブラケットを選択して使用するだけでよい。
また、請求項２に係る照明具取付ブラケットによれば、照明具側取付用ビス長穴は、各照明具に形成されている照明具取付用ビス穴のピッチ及び径の寸法の、異なる複数種類のピッチ及び径の寸法に対応できるように形成されているので、一つの照明具取付ブラケットを複数種の照明具に共通して使用することができる。
また、請求項３に係る照明具取付ブラケットによれば、容易に照明具の照射角度を変更調整することができる。
【考案を実施するための最良の形態】
【００１１】
以下、本考案に係る照明具取付ブラケットの形態を添付図面に基づいて説明する。
図１、図２、及び図３は、照明具を照明具取付ブラケットによって固定装置に取り付けた一形態を示す図である。図４及び図５は、図１、図２に示す形態に使用される照明具取付ブラケットであり、図６は、図３に示す形態に使用される照明具取付ブラケットである。図７は、照明具取付ブラケットによって固定装置に取り付けられた照明具の使用の一形態を示す図である。
【００１２】
図１（ａ）は、いわゆるリング型の照明具を照明具取付ブラケットによって固定装置に取り付けた形態を示す平面図である。また、（ｂ）は、いわゆるドーム型の照明具を照明具取付ブラケットによって固定装置に取り付けた形態を示す平面図である。そして、図２は、図１（ａ）の形態を示す斜視図である。これらの形態は、概略、固定装置１と、照明具取付ブラケット５と、照明具６（６ａ、６ｂ）とから構成されている。固定装置１は、固定部の土台となるベース部２と、ベース部に固定されるポール３と、ポールに取り付けられるジョイント４とから構成されている。ジョイント４は図示を省略するレバーの操作によりポール３に対して上下方向へ移動調整させることができる構造になっている。照明具取付ブラケット５は、ジョイント４に固定手段（例えば、ビス）によって取付固定されている。そして、照明具６ａ、６ｂは、固定手段（例えば、図２に示すビス９ａ、９ｂ、９ｃ）によって照明具取付ブラケット５に取付固定されている。リング型照明具とドーム型照明具とは、照明具自体の高さは相違するが、いずれも固定部（ビス穴）は、照明具の上面に設けられている。従って、照明具取付ブラケットとしては、いずれの照明具も同じタイプ（Ｕ字型薄板状タイプ）のものが使用される。
【００１３】
図３は、いわゆるバー型の照明具を照明具取付ブラケットによって固定装置に取り付けた形態を示す斜視図である。概略、固定装置１と、照明具取付ブラケット７と、照明具８とから構成されている。固定装置１は、図１と同様にベース部２（図示省略）と、ポール３と、ジョイント４とから構成されている。ジョイント４はポール３に対して上下方向へ移動調整させることができる構造になっている。照明具取付ブラケット７は、ジョイント４に固定手段（例えば、ビス）によって固定され、照明具８は、固定手段（例えば、図３に示すビス１０ａ、１０ｂ）によって照明具取付ブラケット７に固定されている。バー型の照明具には、薄板をＵ字型に折り曲げたタイプの照明具取付ブラケット７が使用される。
【００１４】
図４、及び図５は、図１（ａ）、図２、及び図１（ｂ）のリング型あるいはドーム型の照明具に使用される“Ｕ字型薄板状タイプ”の照明具取付ブラケットの一形態を示す。図４、５の（ａ）は、正面図であり、（ｂ）はその側面図である。照射具取付ブラケットは、平面視、Ｕ字型で、薄板状に形成されており、光の乱反射を防ぐ黒アルマイト艶消し加工が施され、放熱性の高いアルミ素材が使用されている。取り付ける照明具の大きさ、重さ等の違いによって照明具取付ブラケットの大きさ、形状等も相違する。照明具取付ブラケットは、各メーカーが販売している照明具の各機種に対応できるように複数種類用意されている。
【００１５】
Ｕ字型の水平部には、図４（ａ）に示すように水平方向に並んで２個のビス穴１１が設けられている。このビス穴１１は、照明具取付ブラケット５を固定手段（ビス）によって固定装置１のジョイント４にビス止めする為の穴であり、ジョイント４に形成される照明具取付用ビス穴のピッチ及び径の寸法に対応して形成されている（固定装置側取付用ビス穴という）。このビス穴はジョイント４のビス穴に対応して形成されているため、２個並列のものに限定されるものではなく、例えば、図５（ａ）に示すように２個並列２段タイプのビス穴１１ａ、１１ｂ等であってもよい。即ち、照明具の重さ等によって照明具取付ブラケット、あるいは固定装置のビス穴部分に加わる負荷を考慮してビス穴の個数（タイプ）を決定する。但し、一台の固定装置を共通して使用することができるように、並列するビス穴の間隔は一定に設定されている。
【００１６】
また、Ｕ字型の水平部、及び両垂直部には、それぞれ長穴１２、１３、１４が設けられている。この長穴１２、１３、１４は、照明具取付ブラケット５を固定手段（例えば、図２に示すビス９ａ、９ｂ、９ｃ）によって照明具６にビス止めする為の穴であり、照明具６に形成されている照明具取付用ビス穴の複数種類のピッチ及び径の寸法に対応できるように形成されている（照明具側取付用ビス長穴という）。即ち、Ｕ字型の水平部の長穴１２は、垂直方向に穴の長手部分が配置されるように形成され、垂直部の長穴１３、１４は、水平方向に穴の長手部分が配置されるように形成されている。このような長穴を形成することにより、例えば、図３に示す照明具取付ブラケットでは、水平方向のビス穴間隔がＡ±Ｃ［ｍｍ］、垂直方向のビス穴間隔がＢ±Ｄ／２［ｍｍ］の範囲の照明具に対応することができる。図５に示す照明具取付ブラケットも同様であり、長穴１２、１３、１４の形成により、１つの照明具取付ブラケットで照明具取付用ビス穴ピッチの相違する複数種類の照明具に対応することができる。対応可能幅は、形成される長穴１２、１３、１４の長さによって決定される。照明具取付ブラケット５と照明具６とは、ビス９ａ、９ｂ、９ｃによって３点で確実に固着される。
【００１７】
図６は、図３のバー型照明具に使用される“薄板をＵ字型に折り曲げたタイプ”の照明具取付ブラケットの一形態を示す。図４の（ａ）は、断面正面図であり、（ｂ）は、低面図であり、（ｃ）は、側面図である。照射具取付ブラケットには、図４、図５に示すものと同様に光の乱反射を防ぐ黒アルマイト艶消し加工が施され、放熱性の高いアルミ素材が使用されている。また、取り付ける照明具の長さ、幅、重さ等の違いによって使用される照明具取付ブラケットの長さ、幅、形状等も相違する。照明具取付ブラケットは、各メーカーが販売している照明具の各機種に対応できるように複数種類用意されている。
【００１８】
Ｕ字型の水平部、即ち、照明具取付ブラケットの底面部２０には、図６（ａ）、（ｂ）に示すように水平方向に並んで４個のビス穴２１が設けられている。このビス穴２１は、照明具取付ブラケット５を固定手段（ビス）によって固定装置１のジョイント４にビス止めする為の穴であり、ジョイント４に形成される照明具取付用ビス穴のピッチ及び径の寸法に対応して形成されている（固定装置側取付用ビス穴という）。従って、必ずしもこの形態に限定されるものではなく、照明具の重さ等により照明具取付ブラケット、あるいは固定装置のビス穴部分に加わる負荷を考慮してビス穴の個数（タイプ）を決定すればよい。但し、一台の固定装置を共通して使用することができるように、並列する２個のビス穴の間隔（図（ｂ）における間隔Ｅ）は一定に設定することが望ましい。また、底面部２０には、照明具８に電源を供給するためのケーブルが通過するケーブル通し穴２２が設けられている。例えば、ケーブルは、固定装置１のポール３及びジョイント４内を通ってケーブル通し穴２２に達している。尚、ケーブル通し穴２２はこの形態のものに限定されず、ケーブルの太さに応じて径を決定し、また、その位置もビス穴２１の右側あるいは左側に形成してもよい。
【００１９】
Ｕ字型の両垂直部、即ち、照明具取付ブラケット７の両側面部２３ａ、２３ｂには、それぞれビス穴２４と長穴２５が設けられている。ビス穴２４と長穴２５は、照明具取付ブラケット７を固定手段（例えば、図３に示すビス１０ａ、１０ｂ）によって照明具８にビス止めする為の穴（照明具側取付用ビス穴）であり、照明具８に形成されている照明具取付用ビス穴のピッチ及び径の寸法に対応して形成されている。この長穴２５を照明具側取付用ビス長穴ともいう。長穴２５はビス穴２４を中心点とする円弧状に形成されており、ビス１０ｂを長穴２５のどの位置で固定するかによって照明具８の照射角度を変化させることできる。即ち、照明具の回転調整用長穴である。尚、ビス穴２４と長穴２５を設ける場所は必ずしも両側面部である必要はなく、いずれかの一側面だけに設ける形態であってもよい。角度調整幅は、形成される長穴２５の長さによって決定される。
【００２０】
図７は、照明具取付ブラケット５によって固定装置１に固定されたリング型照明具６ａの使用の一形態を示す。例えば、製造検査ラインにおける製品の検査を行なうために、照明具６ａと同様に固定装置のジョイント４'に固着されたカメラ３１と共に使用される。検査ライン３２上の製品３３をカメラ３１によって撮影し、その照明として照明具取付ブラケット５を介して固定装置に固定された照明具６ａが使用される。検査する製品の大きさ等により使用するカメラ３１の大きさが変更され、それに応じて照明具６ａの大きさも替える必要が生じる。その場合、照明具のビス穴の異なる複数種類のピッチに対応可能な照明具取付ブラケット５、即ち、長穴１２、１３、１４を有する照明具取付ブラケット５を使用することにより、照明具の交換だけで済み、迅速、且つ、容易な対応が可能である。
【図面の簡単な説明】
【００２１】
【図１】（ａ）は、リング型の照明具を照明具取付ブラケットによって固定装置に取り付けた形態を示す平面図であり、（ｂ）は、ドーム型の照明具の形態を示す平面図である。
【図２】図１（ａ）の形態を示す斜視図である。
【図３】バー型の照明具を照明具取付ブラケットによって固定装置に取り付けた形態を示す斜視図である。
【図４】リング型あるいはドーム型の照明具に使用される照明具取付ブラケットの一形態を示す図である。
【図５】図４と別の一形態を示す照明具取付ブラケットの図である。
【図６】バー型照明具に使用される照明具取付ブラケットの一形態を示す図である。
【図７】照明具取付ブラケットを介して固定されたリング型照明具の使用の一形態を示す図である。
【符号の説明】
【００２２】
１    固定装置
２    ベース部
３    ポール
４    ジョイント
５、７  照明具取付ブラケット
６、６ａ、６ｂ、８  照明具
９ａ〜９ｃ、１０ａ、１０ｂ  固定手段
１１、２１  固定装置側取付用ビス穴
１２、１３、１４  照明具側取付用ビス長穴
２４、２５  照明具側取付用ビス穴
２５  長穴（照明具側取付用ビス長穴）
【図１】
0003133319.tif 000003
【図２】
0003133319.tif 000004
【図３】
0003133319.tif 000005
【図４】
0003133319.tif 000006
【図５】
0003133319.tif 000007
【図６】
0003133319.tif 000008
【図７】
0003133319.tif 000009